(57)【要約】【課題】組立性を更に高めた送風装置を提供することを目的とする。【解決手段】本体ケース１は、第一フレーム６と第二フレーム７とを備え、第一フレーム６には、オリフィスである第二風路部材２１２が固定され、第二フレーム７内には、スイッチケース部分４０４が設けられている。スイッチケース部分４０４は、基板部分４０３から延びる電線部４０２を支持する支持部分４１２を有し、支持部分４１２は、第一フレーム６と第二フレーム７との合わせ目４１３より第一フレーム６内へ突出することを特徴とし、これにより、組立性を更に高めることができる。【選択図】図８
2016211414.tif 000002
【特許請求の範囲】
【請求項１】
空気吸込口と空気吹出口を備えた本体ケースと、前記空気吸込口と前記空気吹出口とを連通する風路に設けられた高圧空気発生装置と、前記高圧空気発生装置と前記空気吸込口との間に設けられた開口部を有するオリフィスと、前記高圧空気発生装置から延びた電線部と、前記電線部に接続されたスイッチ部とを備え、前記スイッチ部は、前記電線部と電気的に接続された基板部分と、前記基板部分が固定されるスイッチケース部分とを備え、前記本体ケースは、第一フレームと第二フレームとを備え、前記第一フレームには、前記オリフィスが固定され、前記第二フレーム内には、前記スイッチケース部分が設けられ、前記スイッチケース部分は、前記基板部分から延びる前記電線部を支持する支持部分を有し、前記支持部分は、前記第一フレームと第二フレームとの合わせ目より前記第一フレーム内へ突出することを特徴とする送風装置。
【請求項２】
前記オリフィスは、孔部分を備え、前記高圧空気発生装置から延びた前記電線部は、前記孔部分を介して前記基板部分へ延び、前記支持部分は、前記孔部分を介して前記オリフィス内へ突出することを特徴とする請求項１に記載の送風装置。
【請求項３】
孔部分は、前記オリフィスの周縁部に配置されたことを特徴とする請求項２に記載の送風装置。
【請求項４】
前記本体ケースにおける上部が前記第一フレームで、前記本体ケースにおける下部が前記第二フレームで、前記第二フレームの下部には、前記空気吸込口を備え、前記電線部の上端は、前記支持部分によって前記高圧空気発生装置と前記電線部との連結部より上方に配置されることを特徴とする請求項１から３のいずれかに記載の送風装置。
【発明の詳細な説明】
【技術分野】
【０００１】
本発明は、例えば、送風により清涼感を与えたり空間内の空気循環を促したりする送風装置に関するものである。
【背景技術】
【０００２】
従来から、羽根車を内包することで該羽根車への接触に対する不安感をなくしつつ、本体のコンパクト化を実現するとした送風装置が知られていた（例えば特許文献１参照）。
【０００３】
従来の送風装置は、空気吸込口と空気吹出口を備えた本体ケースと、空気吸込口と空気吹出口とを連通する風路に設けられた高圧空気発生装置を備えていた。本体ケースは、第一フレームと第二フレームとから構成していた。
【先行技術文献】
【特許文献】
【０００４】
【特許文献１】特開２０１４−５７８７号公報
【発明の概要】
【発明が解決しようとする課題】
【０００５】
このような従来の送風装置における課題は、組立性を更に高めることであった。
【０００６】
すなわち、従来の物においては、本体ケースには、高圧空気発生装置を備え、高圧空気発生装置からは、電線部が延び、スイッチ部に接続されていた。本体ケースは、第一フレームと第二フレームとから構成していたので、組み立てる場合には、電線部が第一フレームと第二フレームとに挟まれないように注意する必要があった。
【０００７】
そこで本発明は、組立性を更に高めることを目的とする。
【課題を解決するための手段】
【０００８】
上述の目的を達成するために、本発明は、空気吸込口と空気吹出口を備えた本体ケースと、前記空気吸込口と前記空気吹出口とを連通する風路に設けられた高圧空気発生装置と、前記高圧空気発生装置と前記空気吸込口との間に設けられた開口部を有するオリフィスと、前記高圧空気発生装置から延びた電線部と、前記電線部に接続されたスイッチ部とを備え、前記スイッチ部は、前記電線部と電気的に接続された基板部分と、前記基板部分が固定されるスイッチケース部分とを備え、前記本体ケースは、第一フレームと第二フレームとを備え、前記第一フレームには、前記オリフィスが固定され、前記第二フレーム内には、前記スイッチケース部分が設けられ、前記スイッチケース部分は、前記基板部分から延びる前記電線部を支持する支持部分を有し、前記支持部分は、前記第一フレームと第二フレームとの合わせ目より前記第一フレーム内へ突出することを特徴とし、これにより所期の目的を達成するものである。
【発明の効果】
【０００９】
本発明に係る送風装置によれば、空気吸込口と空気吹出口を備えた本体ケースと、前記空気吸込口と前記空気吹出口とを連通する風路に設けられた高圧空気発生装置と、前記高圧空気発生装置と前記空気吸込口との間に設けられた開口部を有するオリフィスと、前記高圧空気発生装置から延びた電線部と、前記電線部に接続されたスイッチ部とを備え、前記スイッチ部は、前記電線部と電気的に接続された基板部分と、前記基板部分が固定されるスイッチケース部分とを備え、前記本体ケースは、第一フレームと第二フレームとを備え、前記第一フレームには、前記オリフィスが固定され、前記第二フレーム内には、前記スイッチケース部分が設けられ、前記スイッチケース部分は、前記基板部分から延びる前記電線部を支持する支持部分を有し、前記支持部分は、前記第一フレームと第二フレームとの合わせ目より前記第一フレーム内へ突出することを特徴とし、これにより、組立性を更に高めることができる。
【００１０】
すなわち、第二フレーム内には、スイッチケース部分が設けられ、スイッチケース部分は、基板部分から延びる電線部を支持する支持部分を有している。この支持部分は、第一フレームと第二フレームとの合わせ目より第一フレーム内へ突出している。これにより、第一フレームと第二フレームとを組み立てる場合に、第二フレームのスイッチケース部分から延びる電線部は、支持部分によって第一フレーム内に入り込むので、電線部が第一フレームと第二フレームとの間に挟まれることが抑制される。これにより、組立性を更に高めることができるものである。
【図面の簡単な説明】
【００１１】
【図１】本発明の実施の形態１に係る送風装置の外観図
【図２】同送風装置の分解側面図
【図３】同送風装置の断面図
【図４】同送風装置の第一フレーム及び第一風路部材を送風側極から見た上面図
【図５】同送風装置の外観図
【図６】同送風装置の展開図
【図７】同送風装置のスイッチ部の展開図
【図８】同送風装置の断面図
【図９】同送風装置の展開図
【図１０】同送風装置の展開図
【発明を実施するための形態】
【００１２】
（実施の形態１）
以下、添付図面を参照して、本発明の実施の形態につき説明し、本発明の理解に供する。
【００１３】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１４】
以下、本発明の実施の形態１に係る送風装置について説明する。
【００１５】
図１は、本発明の実施の形態１に係る送風装置の外観図である。
【００１６】
図１に示すように本体ケース１は、略球体形状をなしており、球体の中心を仮想的に貫通する中心軸２を軸中心としている。
【００１７】
中心軸２は球体の送風側極３と、送風側極３に対向する吸込側極４とでそれぞれ点接している。なお、ここでいう略球体形状とは、一見して球体をなしているという意味であり、後述する開口部などにより一部球体表面の凹凸などで真球にならない点を考慮した表現である。つまり、真球とならない場合であっても一見して球体を成している場合には略球体形状に含まれる。
【００１８】
また、本体ケース１は、球体の両極（送風側極３、吸込側極４）と等距離の位置にて、中心軸２と垂直な切断面５で、略半球体状の第一フレーム６と、同じく略半球体状の第二フレーム７とに２等分されている。
【００１９】
第一フレーム６は、送風側極３を備え、中空形状を成しており、すなわち半球面構造を成す。また、第一フレーム６には、中心軸２に垂直な面で構成される円形の開口部９が送風側極３近傍に設けられている。なお、ここでいう近傍とは、厳密には送風側極３は球の周上にあるため、開口部９が属する平面上とは一致しないことによる表現である。従って、特に開口部９が送風側極３を含んでいるという表現としても差し支えない。さらに、第一フレーム６は、送風側極３を中心として中心軸２の周方向に等間隔に設けられた誘引空気吸込口８を複数個（本実施の形態１では６個）備えている。
【００２０】
誘引空気吸込口８は、同一径の円形を成しており、各円の中心は中心軸２を中心とした同一周上（中心軸２に垂直である同一断面上）に位置している。ただし、隣接する誘引空気吸込口８とは接触しておらず、すなわちそれぞれ独立することにより、内部空間に後述する複数の送風路を確保している。
【００２１】
開口部９は、その内部に誘引空気吸込口８と連通する誘引空気吹出口１０を備えているが、詳細は後述する。
【００２２】
第二フレーム７は、吸込側極４を備え、中空形状を成しており、すなわち半球面構造を成す。また、第二フレーム７は、吸込側極４の周囲に後述する空気吸込口を備えている。
【００２３】
図２は、本発明の実施の形態１に係る送風装置の分解側面図である。
【００２４】
図２に示すように、送風装置は、前述の第一フレーム６と第二フレーム７とで構成される略球体の本体の中空空間（内部）に、第一風路部材２０４、配置用空間２１６、第二風路部材２１２が第一フレーム６よりこの順で配置されており、この構成で送風装置用筐体を構成している。また、配置用空間２１６内に、高圧空気発生装置２１１を備えることで、送風装置として機能する。
【００２５】
第一風路部材２０４は、中心軸２に対して垂直の円形断面である誘引空気吹出口１０を備えた上部部材２０２と、当該上部部材２０２との間で中空状の内部空間を形成する下部部材２０３とで形成されている。また、下部部材２０３の壁面外側には、吸込側極４に向けて中心軸２と平行に、複数の支持部２１３（本実施の形態１では６個）が突設されている。ここで突設とは、突き出した状態で設けられていることをいう。
【００２６】
第二風路部材２１２には、前記複数の支持部２１３に対応する複数の当接部２１４（支持部と同数、本実施の形態では６個）が備えられている。また、当接部２１４は、第二風路部材２１２の送風側極３に向けて中心軸２と平行に突設されている。前記支持部２１３の先端部と当接部２１４の先端部とが当接することで、第一風路部材２０４と第二風路部材２１２との間で配置用空間２１６が形成される。ここでいう当接とは、突き当たった状態で接触することをいう。さらに、第二風路部材２１２には、吸込側極４に向けて中心軸２と平行に、中心軸２を中心とした円筒状の係合部２１５が突設されている。
【００２７】
第二フレーム７には、吸込側極４を中心としてその近傍に、空気吸込口２０１が多数のパンチング孔として設けられている。外部の空気は、空気吸込口２０１を介して略球体状の本体内部に吸引されるが、その仕組みについての詳細は後述する。
【００２８】
高圧空気発生装置２１１は、モータ２０６、基盤カバー２０７、基盤２０８、モータカバー２０９、羽根２１０により構成されている。また、高圧空気発生装置２１１は、前述の第一風路部材２０４に固定された、ゴムを素材とした弾性体からなる固定部２０５に固定することにより、前記配置用空間２１６内にて第一風路部材２０４の外壁側に固定される。
【００２９】
続いて、図３及び図４を用いて、送風装置における空気の流れを説明する。図３は、図２にて示した第一フレーム６、第一風路部材２０４、高圧空気発生装置２１１、第二風路部材２１２、第二フレーム７をこの順で配置することにより構成された送風装置を、中心軸２を含む平面で切断した際の断面図である。また、図４は、第一フレーム６及び第一風路部材２０４を、送風側極３側より見た上面図である。
【００３０】
図３において、送風側極３と吸込側極４とから等距離にある球の中心３０１近傍にモータ２０６が配置されており、当該モータ２０６の回転軸を回転させることにより、このモータ２０６の回転軸に接続された羽根２１０が中心軸２を軸に回転する。なお、このモータ２０６の動力源は、本体外部から引き込まれた電源線（図示せず）より供給される電気、又は内蔵する電池から得られる電気等が該当する。
【００３１】
羽根２１０が回転すると、空気吸込口２０１より本体外からの空気が吸引される（送風経路３０３を参照）。吸引された空気は、オリフィスとしての機能を備えた第二風路部材２１２の、空気吸込口２０１側の開口部（空気吸込口側開口部３０２）を経て、配置用空間２１６内の羽根２１０内部（中心部）に流入する。流入した空気は、羽根２１０の送風構造に基づいてその中心軸２から外周方向に向きを変えて排出され、すなわち送風路としても機能する配置用空間２１６の円周外側方向に押し出される。
【００３２】
前記押し出された空気は、その押圧により、第一風路部材２０４の外壁（壁面外部）と第一フレーム６の内壁とで構成される送風路３０４を通過して開口部９に導かれる。ここで開口部９は、図４に示されるように、送風側極３を中心とした円形を成しており、前記第一風路部材２０４に備えられた誘引空気吹出口１０とその中心を同一に構成されている。また、誘引空気吹出口１０を構成する平面と開口部９を構成する平面とは略同一平面を構成している。ここで略同一平面とは、開口部９を構成する平面が誘引空気吹出口１０を構成する平面に比して球の中心３０１より例えば数ミリの誤差で、遠方にあり又は近接している状態を含むことを意味する。そして、開口部９の径は、誘引空気吹出口１０の径よりも大きく設計されており、開口部９と誘引空気吹出口１０の外壁との間の空間がすなわち前記送風路３０４に連通する円環状の空気吹出口３０７を構成している。結果として、空気吸込口２０１より吸引された空気は、羽根２１０の作用により、空気吹出口３０７から中心軸２と平行方向かつ中心３０１より遠ざかる方向に、環状の気流となって吹き出される。すなわち、本体ケース１は、空気吸込口２０１と空気吹出口３０７とを備え、空気吸込口２０１と空気吹出口３０７とを連通する風路に高圧空気発生装置２１１を設けている。
【００３３】
空気吹出口３０７より吹き出された環状の気流は、誘引効果によってその環状の内部の空気、すなわち誘引空気吹出口１０近傍の空気を同一方向に誘引する。この際、誘引空気吹出口１０に連通する複数の誘引空気吸込口８から空気が誘引され（送風経路３０６を参照）、誘引空気混合部３０５にて混合されて誘引空気吹出口１０に順次送り込まれる。
【００３４】
上述した、環状の気流と誘引空気とが開口部９付近で合成され、発散の少ないスポット風として、中心軸２方向より排出されるのである。
【００３５】
以上が本実施の形態１に係る送風装置の構成及び動作の概略である。
【００３６】
図５は、送風装置の外観図である。図５は、送風装置を上下逆様に置いた図である。図６は、送風装置の展開図である。図６は、送風装置を上下逆様に置いた状態で、第一フレーム６と第二フレーム７を外し、第二フレーム７からスイッチ部４０１を外した図である。
【００３７】
図５、６に示すように、本体ケース１は、第一フレーム６と第二フレーム７とを備えている。第一フレーム６と第二フレーム７とは、ねじ（図示せず）によって固定される。第二フレーム７内には、スイッチ部４０１が着脱自在に設けられている。
【００３８】
このスイッチ部４０１は、電源の入り切り、風量ノッチを切り替える機能を有する。スイッチ部４０１は、高圧空気発生装置２１１から延びた電線部４０２と電気的に接続されている。
【００３９】
図７は、送風装置のスイッチ部の展開図である。スイッチ部４０１は、図６、７に示すように、基板部分４０３と、スイッチケース部分４０４と、操作カバー部分４０５と、ＬＥＤカバー４１６とを備えている。基板部分４０３は、配線パターン（図示せず）を有した平板形状で、この配線パターンにはスイッチ４０６等の電子部品が電気的に接続されている。配線パターンは、高圧空気発生装置２１１から延びた電線部４０２と電気的に接続されている。
【００４０】
スイッチケース部分４０４は、略蓋形状の第１のスイッチケース４０７と第２のスイッチケース４０８とが合わさって、奥行きが短い略箱形状となる。スイッチケース部分４０４の内部には、ねじ４０９によって基板部分４０３が固定されている。スイッチケース部分４０４の一方面（第二フレームにおける内面側）、つまり第１のスイッチケース４０７には基板部分４０３に設けたスイッチ４０６を操作できるクリック部分４１０を備えている。クリック部分４１０と第二フレーム７との間には、操作カバー部分４０５を備えている。操作カバー部分４０５の一部が、第二フレーム７の３つの孔部４１１から露出している。
【００４１】
３つの孔部４１１から露出している操作カバー部分４０５を押すと、クリック部分４１０を介して、基板部分４０３に設けたスイッチ４０６が押される。これによって、電源の入り切り、風量ノッチの切り替えができる。
【００４２】
図８は、送風装置の断面図である。本実施形態における特徴は、スイッチケース部分４０４に設けた支持部分４１２である。図７、８に示すように、支持部分４１２は、基板部分４０３から延びる電線部４０２を支持する機能を有している。支持部分４１２は、スイッチケース部分４０４から第一フレーム６と第二フレーム７との合わせ目４１３より下方へ延びている。つまり支持部分４１２は、第一フレーム６と第二フレーム７との合わせ目４１３より第一フレーム６内へ突出している。この支持部分４１２が、基板部分４０３から延びる電線部４０２を第一フレーム６内で支持している。
【００４３】
具体的には、第二フレーム７内の下部には、スイッチケース部分４０４が設けられ、スイッチケース部分４０４は、基板部分４０３から延びる電線部４０２を支持する支持部分４１２を有している。スイッチケース部分４０４は、第二フレーム７における第一フレーム６との合わせ目４１３寄りに配置されているので、電線部４０２も第二フレーム７における第一フレーム６との合わせ目４１３寄りから延びている。支持部分４１２は、第一フレーム６と第二フレーム７との合わせ目４１３より第一フレーム６内へ突出している。これにより、第一フレーム６と第二フレーム７とを組み立てる場合に、第二フレーム７のスイッチケース部分４０４から延びる電線部４０２は、支持部分４１２によって第一フレーム６内に入り込む。これにより、電線部４０２は、第二フレーム７と第一フレーム６との合わせ目４１３から距離を有するので、電線部４０２が第一フレーム６と第二フレーム７との間に挟まれることが抑制され、組立性を更に高めることができるものである。
【００４４】
図７に示すように、第１のスイッチケース４０７には、水平断面形状が円弧形状の第１の支持部材４１２Ａを備え、第２のスイッチケース４０８には、水平断面形状が円弧形状の第２の支持部材４１２Ｂを備えている。第１の支持部材４１２Ａと第２の支持部材４１２Ｂとから支持部分４１２は形成している。支持部分４１２は水平断面形状が隙間を有するＣ形状であり、隙間から電線部４０２を支持部分４１２内へ挿入できる。
【００４５】
図９は、送風装置の展開図である。図９は、送風装置を上下逆様に置いた状態で、第一フレーム６から第二フレーム７を外した斜視図である。図１０は、送風装置の展開図である。図１０は、送風装置を上下逆様に置いた状態で、第一フレーム６から第二フレーム７を外し、第二フレーム７の内部を示す斜視図である。
【００４６】
また、図８、９、１０に示すように、オリフィスである第二風路部材２１２は、孔部分４１４を備えている。孔部分４１４は、上下方向において第二フレーム７と第一フレーム６との合わせ目４１３近傍に配置され、中心軸方向が上下方向に延び、支持部分４１２より大きい開口である。高圧空気発生装置２１１から延びた電線部４０２は、孔部分４１４を介して基板部分４０３へ延びている。支持部分４１２は、上下方向に延び、孔部分４１４を介してオリフィスである第二風路部材２１２内へ突出するものである。組み立てる場合には、第一フレーム６を上下逆様に向けて、支持部分４１２の先にある電線部４０２を、第二風路部材２１２の孔部分４１４に挿入し、更に、支持部分４１２が孔部分４１４に入るまで挿入する。第一フレーム６と第二フレーム７とが、合わせ目４１３で重なる前に、支持部分４１２が孔部分４１４に入るものである。そして、第一フレーム６と第二フレーム７とが合わせ目４１３で重なると、支持部分４１２は孔部分４１４を介してオリフィスである第二風路部材２１２内へ更に突出する。
【００４７】
このように、支持部分４１２が、孔部分４１４を介してオリフィスである第二風路部材２１２内へ突出すると、支持部分４１２の先にある電線部４０２は、オリフィス内に入るので、第一フレーム６と第二フレーム７とを組み立てる場合に、電線部４０２が第一フレーム６と第二フレーム７との間に挟まれることが抑制される。
【００４８】
また、孔部分４１４は、オリフィスである第二風路部材２１２の周縁部に配置されている。これにより、第一フレーム６と第二フレーム７とを組み立てるときに、第一フレーム６と第二フレーム７とが所定距離を離した状態で、第一フレーム６と第二フレーム７との間から支持部分４１２が孔部分４１４に入り込んでいる状態を見ることができる。このように、第一フレーム６と第二フレーム７との間から、支持部分４１２と孔部分４１４とを見ながら支持部分４１２を孔部分４１４に挿入できるので、第一フレーム６と第二フレーム７とを組み立て易くなる。
【００４９】
また、通常の使用状態においては、本体ケース１における上部が第一フレーム６で、本体ケース１における下部が第二フレーム７である。第二フレーム７の下部には、空気吸込口２０１を備え、電線部４０２の上端は、支持部分４１２によって高圧空気発生装置２１１と電線部４０２との連結部４１５より上方に配置される。図６、８に示すように、送風装置を上下逆様に置くと、本体ケース１における下部が第一フレーム６で、本体ケース１における上部が第二フレーム７である。第二フレーム７の上部には、空気吸込口２０１を備え、電線部４０２の下端は、支持部分４１２によって高圧空気発生装置２１１と電線部４０２との連結部４１５より下方に配置される。このような構成であれば、送風装置を上下逆様に置いた状態で、本体ケース１における上部の空気吸込口２０１を手入れしている場合に、誤って水が空気吸込口２０１から入った場合に、高圧空気発生装置２１１へ水が流れ込むことを抑制できる。つまり、空気吸込口２０１から入った水が、電線部４０２に滴下し、電線部４０２を伝って下方へ流れる場合に、電線部４０２の下端は、支持部分４１２によって高圧空気発生装置２１１と電線部４０２との連結部４１５より下方に配置されているので、高圧空気発生装置２１１へ水が流れ込むことを抑制できる。
【産業上の利用可能性】
【００５０】
送風により清涼感を与えたり空間内の空気循環を促したりする送風装置として有用である。
【符号の説明】
【００５１】
１    本体ケース
２    中心軸
３    送風側極
４    吸込側極
５    切断面
６    第一フレーム
７    第二フレーム
８    誘引空気吸込口
９    開口部
１０    誘引空気吹出口
２０１    空気吸込口
２０４    第一風路部材
２１１    高圧空気発生装置
２１２    第二風路部材
２１３    支持部
２１４    当接部
２１５    係合部
２１６    配置用空間
３０５    誘引空気混合部
３０７    空気吹出口
４０１    スイッチ部
４０２    電線部
４０３    基板部分
４０４    スイッチケース部分
４０５    操作カバー部分
４０６    スイッチ
４０７    第１のスイッチケース
４０８    第２のスイッチケース
４０９    ねじ
４１０    クリック部分
４１１    孔部
４１２    支持部分
４１２Ａ  第１の支持部材
４１２Ｂ  第２の支持部材
４１３    合わせ目
４１４    孔部分
４１５    連結部
４１６    ＬＥＤカバー
【図１】
2016211414.tif 000003
【図２】
2016211414.tif 000004
【図３】
2016211414.tif 000005
【図４】
2016211414.tif 000006
【図５】
2016211414.tif 000007
【図６】
2016211414.tif 000008
【図７】
2016211414.tif 000009
【図８】
2016211414.tif 000010
【図９】
2016211414.tif 000011
【図１０】
2016211414.tif 000012